【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
少なくとも二つ以上の光源ユニットからの射出光を合成して合成射出光を生成する光源装置であって、
第１の光源ユニットと、
第２の光源ユニットと、を有し、
前記第１の光源ユニットは、
励起光を射出する第１の固体光源と、
前記励起光を該励起光の波長よりも長い波長の光に変換する波長変換素子と、を含み、
前記第２の光源ユニットは、赤波長帯域光を射出する第２の固体光源を含み、
前記第１の固体光源の光出力をＰｅ、前記第２の固体光源の光出力をＰｒとするとき、
Ｐｅ＞Ｐｒ  
を満たし、
前記光源装置は、前記第１の光源ユニットからの光を照明光学系に導く第１の導光面と、該第１の導光面とは異なり、前記第２の光源ユニットからの光を前記照明光学系に導く第２の導光面を備える光路合成系を含み、
前記照明光学系の光軸方向から見た前記第１の導光面は、前記第２の導光面とは重ならず、該第２の導光面とは異なる位置に設けられ、
前記光路合成系は、前記第１の光源ユニットからの光を用いて、前記第１の導光面上に第１の光源像を形成する第１の集光光学系と、前記第２の光源ユニットからの光を用いて、前記第２の導光面上に第２の光源像を形成する第２の集光光学系を含み、
前記照明光学系の前記光軸方向から見たとき、前記第１の光源像と前記第２の光源像との距離をｄ１、前記第１の光源像と前記第２の光源像が配置される方向における前記第１の光源像の幅をｄ２とするとき、
０．７≦ｄ１／ｄ２≦１．３
を満たすことを特徴とする光源装置。
【請求項２】
前記波長変換素子は、前記励起光を黄波長帯域光または緑波長帯域光に変換することを特徴とする請求項１に記載の光源装置。
【請求項３】
前記第１の固体光源は、青波長帯域光を射出することを特徴とする請求項１または２に記載の光源装置。
【請求項４】
前記第２の光源ユニットは、更に緑波長帯域光を射出する第３の固体光源を含み、
前記第３の固体光源の光出力をＰｇとするとき、
Ｐｒ＞Ｐｇ  
を満たすことを特徴とする請求項１乃至３のいずれか１項に記載の光源装置。
【請求項５】
前記光出力Ｐｅ、Ｐｒ、Ｐｇは、
Ｐｅ＞Ｐｒ×２
Ｐｅ＞Ｐｇ×３
Ｐｒ＞Ｐｇ×１．５
を満たすことを特徴とする請求項４に記載の光源装置。
【請求項６】
前記第１の固体光源、前記第２の固体光源、および、前記第３の固体光源のそれぞれが複数設けられている場合、前記光出力Ｐｅ、Ｐｒ、Ｐｇはそれぞれ、該複数の各固体光源の光出力の総和であることを特徴とする請求項４または５に記載の光源装置。
【請求項７】
前記第１の光源ユニットからの射出光のうち特定の波長帯域光を減衰させるフィルタを更に有し、
前記特定の波長帯域光は、少なくとも前記赤波長帯域光と前記緑波長帯域光との間の波長帯域光を含み、かつ、前記赤波長帯域光および前記緑波長帯域光を含まないことを特徴とする請求項４乃至６のいずれか１項に記載の光源装置。
【請求項８】
前記第１の光源ユニットからの射出光のうち特定の波長帯域光を減衰させるフィルタを更に有し、
前記特定の波長帯域とは、少なくとも前記第１の固体光源から射出される波長帯域光と前記赤波長帯域光との間の波長帯域光を含み、かつ、前記第１の固体光源から射出される前記波長帯域光および前記赤波長帯域光を含まないことを特徴とする請求項１乃至７のいずれか１項に記載の光源装置。
【請求項９】
前記第２の光源ユニットは、前記第２の固体光源から射出した前記赤波長帯域光を拡散させる光拡散素子を含むことを特徴とする請求項１乃至８のいずれか１項に記載の光源装置。
【請求項１０】
前記波長変換素子は蛍光体であり、黄色または緑色の蛍光光を発することを特徴とする請求項１乃至９のいずれか１項に記載の光源装置。
【請求項１１】
少なくとも二つ以上の光源ユニットからの射出光を合成して合成射出光を生成する光源装置であって、
第１の光源ユニットと、
第２の光源ユニットと、を有し、
前記第１の光源ユニットは、
励起光を射出する第１の固体光源と、
前記励起光を該励起光の波長よりも長い光に変換する波長変換素子と、を含み、
前記第２の光源ユニットは、緑波長帯域光を射出する第２の固体光源を含み、
前記第１の固体光源の光出力をＰｅ、前記第２の固体光源の光出力をＰｇとするとき、
Ｐｅ＞Ｐｇ  
を満たすことを特徴とする光源装置。
【請求項１２】
前記波長変換素子は、前記励起光を赤波長帯域光に変換することを特徴とする請求項１１に記載の光源装置。
【請求項１３】
前記第１の光源ユニットからの光を照明光学系に導く第１の導光面と、該第１の導光面とは異なり、前記第２の光源ユニットからの光を前記照明光学系に導く第２の導光面を備える光路合成系を更に有し、
前記照明光学系の光軸方向から見た前記第１の導光面は、前記第２の導光面とは重ならず、該第２の導光面とは異なる位置に設けられ、
前記光路合成系は、前記第１の光源ユニットからの光を用いて、前記第１の導光面上に第１の光源像を形成する第１の集光光学系と、前記第２の光源ユニットからの光を用いて、前記第２の導光面上に第２の光源像を形成する第２の集光光学系を含み、
前記照明光学系の前記光軸方向から見たとき、前記第１の光源像と前記第２の光源像との距離をｄ１、前記第１の光源像と前記第２の光源像が配置される方向における前記第１の光源像の幅をｄ２とするとき、
０．７≦ｄ１／ｄ２≦１．３
を満たすことを特徴とする請求項１１または１２に記載の光源装置。
【請求項１４】
請求項１乃至１３のいずれか１項に記載の光源装置と、
光変調素子と、
前記光源装置からの光束を用いて前記光変調素子を照明する照明光学系と、
前記光源装置からの光束を前記光変調素子に導くとともに、前記光変調素子からの光束を投射光学系に導く色分離合成系と、を有することを特徴とする投射型表示装置。
【手続補正２】
【補正対象書類名】明細書
【補正対象項目名】０００６
【補正方法】変更
【補正の内容】
【０００６】
本発明の一側面としての光源装置は、少なくとも二つ以上の光源ユニットからの射出光を合成して合成射出光を生成する光源装置であって、第１の光源ユニットと、第２の光源ユニットとを有し、前記第１の光源ユニットは、励起光を射出する第１の固体光源と、前記励起光を該励起光の波長よりも長い波長の光に変換する波長変換素子とを含み、前記第２の光源ユニットは、赤波長帯域光を射出する第２の固体光源を含み、前記第１の固体光源の光出力および前記第２の固体光源の光出力は所定の条件を満たす。さらに、前記光源装置は、前記第１の光源ユニットからの光を照明光学系に導く第１の導光面と、該第１の導光面とは異なり、前記第２の光源ユニットからの光を前記照明光学系に導く第２の導光面を備える光路合成系を含み、前記照明光学系の光軸方向から見た前記第１の導光面は、前記第２の導光面とは重ならず、該第２の導光面とは異なる位置に設けられ、前記光路合成系は、前記第１の光源ユニットからの光を用いて、前記第１の導光面上に第１の光源像を形成する第１の集光光学系と、前記第２の光源ユニットからの光を用いて、前記第２の導光面上に第２の光源像を形成する第２の集光光学系を含み、前記照明光学系の前記光軸方向から見たとき、前記第１の光源像と前記第２の光源像との距離をｄ１、前記第１の光源像と前記第２の光源像が配置される方向における前記第１の光源像の幅をｄ２とするとき、０．７≦ｄ１／ｄ２≦１．３を満たす。
【手続補正３】
【補正対象書類名】明細書
【補正対象項目名】０００７
【補正方法】変更
【補正の内容】
【０００７】
本発明の他の側面としての光源装置は、少なくとも二つ以上の光源ユニットからの射出光を合成して合成射出光を生成する光源装置であって、第１の光源ユニットと、第２の光源ユニットとを有し、前記第１の光源ユニットは、励起光を射出する第１の固体光源と、前記励起光を該励起光の波長よりも長い光に変換する波長変換素子とを含み、前記第２の光源ユニットは、緑波長帯域光を射出する第２の固体光源を含み、前記第１の固体光源の光出力および前記第２の固体光源の光出力は所定の条件を満たす。